(57)【特許請求の範囲】
【請求項１】
床上に配置され、人が仰向けに横たわることができる台と、
前記台に対して離接する方向に変位可能に前記台に設けられ、前記台上に横たわった人の足裏、すね部、膝関節の裏側、あるいは膝関節の裏側付近の大腿部を押圧し、前記台に近づく方向に動かされることにより、前記台上に横たわった人の膝関節および股関節を曲げ、膝が胸に近づいたえび状の状態にするための足当て部材と、
前記台上に横たわった人の手により掴まれて前記足当て部材を前記台に近づく方向に動かすための取っ手と、
を有する腰椎矯正を伴う足押し装置。
【請求項２】
一端を前記台に回動可能に取り付けられた回動レバーを有し、当該回動レバーの回動中心部よりレバー先端側に前記足当て部材とが前記取っ手が設けられ、前記取っ手によって前記回動レバーの回動操作が行われ、前記回動レバーの回動によって前記足当て部材が前記台に対して離接する方向に変位する請求項１に記載の腰椎矯正を伴う足押し装置。
【請求項３】
前記足当て部材は、スライド軸に案内された直線移動によって前記台に対して離接する請求項１に記載の腰椎矯正を伴う足押し装置。
【発明の詳細な説明】
【０００１】
【発明の属する技術分野】
【０００２】
本発明は、人体の膝関節と股関節とを曲げ、ひざが胸に近づいたえび状の状態にするように人体の足部である足裏等を押圧することにより腰痛等を予防、治癒し、及び、柔軟運動等による健康を増進する腰椎矯正を伴う足押し装置に関する。
【従来の技術】
【０００３】
一般に、人が２本足で立った姿勢では、腰椎が前方に突出したカーブを描き、この状態を前弯といい、椎体と椎体の間に存在する椎間板は、人体の前側より、背中側の部分が上下に圧迫されて、つぶれた状態になる。この状態で、重いものを押し上げると、さらに、椎間板が圧迫され、その厚さは薄くなり、その分、背中側にはみ出すこととなり、神経を圧迫し、腰痛の原因となる。
【０００４】
そこで、従来、筋肉の緊張を除去し、血流を良くし、痛みを軽減するマッサージ機が存在する。
【発明が解決しようとする課題】
【０００５】
しかし、上述の従来のマッサージ機では、椎間板の背中側の部分へ体重が加わることを軽減することにより、椎間板への圧迫の軽減して、腰椎の矯正をすることが出来ず、十分に腰痛等を治療することは困難であった。
【０００６】
そこで、本発明は、腰痛等を予防、治癒するために、人体の足部である足裏等を押圧して、人体の膝関節と股関節とを曲げ、ひざが胸に近づいたえび状の状態にし、腰椎を、所謂、後弯の状態にして、かつ、椎間板の背中側の部分へ体重が加わることを軽減することにより、椎間板への圧迫を軽減し、腰痛等を治療、予防し、及び、柔軟運動等による健康を増進する足押し装置を提供することを目的とする。
【課題を解決するための手段】
【０００７】
本発明による腰椎矯正を伴う足押し装置は、床上に配置され、人が仰向けに横たわることができる台と、前記台に対して離接する方向に変位可能に前記台に設けられ、前記台上に横たわった人の足裏、すね部、膝関節の裏側、あるいは膝関節の裏側付近の大腿部を押圧し、前記台に近づく方向に動かされることにより、前記台上に横たわった人の膝関節および股関節を曲げ、膝が胸に近づいたえび状の状態にするための足当て部材と、前記台上に横たわった人の手により掴まれて前記足当て部材を前記台に近づく方向に動かすために取っ手とを有する。
【０００８】
本発明による腰椎矯正を伴う足押し装置は、好ましくは、前記足当て部材は、一端を前記台に回動可能に取り付けられた回動レバーの回動中心部よりレバー先端側に取り付けられ、当該回動レバーの回動によって前記台に対して離接する方向に変位、あるいはスライド軸に案内された直線移動によって前記台に対して離接する。
【０００９】
本発明による腰椎矯正を伴う足押し装置は、足当て部材を台に近づく側に動かすことにより、人の足部である足裏、すね部、膝関節の裏側、あるいは、膝関節の裏側付近の大腿部を押圧して、前記膝関節と股関節とを曲げ、ひざが胸に近づいたえび状の状態にするので、腰椎を強制的に後弯状態にし、後側にはみ出し加減の椎間板を元の正常な状態に戻し、腰椎を正常化することができる。また、柔軟運動を行うこととなり、血行を良くし、筋肉の疲労とこりを改善し、健康を増進することができる。また、回動レバーを引張ることにより、腹部の運動にもなり、便秘にも効果がある。さらに、構成が簡単で、安価に製造できる。
【００１０】
本発明による腰椎矯正を伴う足押し装置は、自分自身で家庭でも繰り返して、容易に使用でき、足押し動作を繰り返して容易にできる。
【００１１】
さらに、本発明によれば、前記一対のレバーの間に設けられる足あて部用支軸を備え、前記足あて部は、前記足あて部用支軸に回動した後、固定されるため、足部である足裏を強制的にすね部側へ曲げることにより、より治療効果が高まる。
【００１２】
さらに、本発明によれば、前記足あて部は前記一対のレバーに対して長手方向にスライドした後、固定され、あるいは、長手方向に移動した後、固定されるため、人体の身長等のサイズが異なる場合にも適用できる。
【００１３】
さらに、本発明によれば、前記台に回動可能に支軸により軸支される一対の下部レバーと、前記一対の下部レバーに対して、各々、長手方向にスライドした後、固定される一対の上部レバーと、前記一対の上部レバーの間に設けられる足あて部用支軸と、前記足あて部用支軸に回動した後、固定され、前記足部に当接されて前記足部を押圧する足あて部と、から前記押圧手段は構成されるため、人体の身長等のサイズが異なる場合にも適用でき、足部である足裏を強制的にすね部側へ曲げることにより、より治療効果が高まる。
【００１４】
さらに、本発明によれば、前記台に回動した後、固定して支軸により軸支される一対のレバーと、前記一対のレバーの間に設けられる足あて部用支軸と、前記足あて部用支軸に回動した後、固定される足あて支持部と、前記人手により引張ることにより、前記足部側にスライド可能に前記足あて支持部に設けられ前記足部に当接されて前記足部を押圧する足あて部と、から成るため、人体の身長等のサイズが異なる場合にも適用でき、足部である足裏を強制的にすね部側へ曲げることにより、より治療効果が高まる。
【００１５】
さらに、本発明によれば、前記一対のレバーあるいは前記一対の下部レバーの回動角度を制限するようにストッパーが前記一対のレバーあるいは前記一対の下部レバーの下端部付近に設けられるため、一対のレバーあるいは一対の下部レバー及び上部レバーが必要以上に回動することをストップする。
【００１６】
さらに、本発明によれば、前記台に固定して立設される一対のスタンドと、前記一対のスタンドの間に固定される足あて支持部と、記足あて支持部に対して前記人手により引張ることにより、前記足部側にスライド可能に設けられ、前記足部に当接されて前記足部を押圧する足あて部と、から前記押圧手段は構成されるため、人体の足部により容易に押圧力を加えることが出来る。
【００１７】
さらに、本発明によれば、前記台に固定して立設される一個のスタンドと、前記人手により引張ることにより、前記足部側にスライド可能に前記一個のスタンドに設けられ、前記足部に当接されて前記足部を押圧する足あて部と、から前記押圧手段は構成されるため、人体の身長等のサイズが異なる場合にも適用できる。
【００１８】
さらに、本発明によれば、前記人手により引張ることにより、前記足部側にスライド可能に前記台に設けられる一対のスタンドと、前記一対のスタンドの間に固定され、前記足部に当接されて前記足部を押圧する足あて部と、から前記押圧手段は構成されるため、人体の身長等のサイズが異なる場合にも適用できる。
【００１９】
さらに、本発明によれば、前記一対のレバー、あるいは、前記一対の上部レバーに対して、前記足あて部の取り付け角度を自在に固定し、前記足裏の前側部分を押しながら足関節を支点として、前記足裏を前記すね部側へ強制的に曲げるため、より治療効果が高まる。
【００２０】
さらに、本発明によれば、前記足あて部の両端付近、前記一対のレバーの上部側、あるいは、前記一対の上部レバーに前記人手が掴むことが出来る取っ手、ベルト、あるいは、ロープが設けられるため、人手により掴むことが容易になる。
【発明の実施の形態】
【００２１】
以下、本発明を、図面を参照して、その実施の形態に基づいて説明する。
【００２２】
図１、図２には、一実施例が示される。台１は、床２に載置され、人体３が仰向けに横たわる装置である。押圧手段４は、人体３の人手３ａにより引張られて動くように台１に設けられ、動くことにより人体３の足部５である足裏５ａ、すね部５ｂ、膝関節の裏側５ｃ、あるいは膝関節の裏側５ｃ付近の大腿部５ｄを押圧して、膝関節６と股関節７とを曲げ、ひざ８が胸９に近づいたえび状の状態にする装置である。この押圧手段４は、軸受フレーム１０ａを介して台１に回動可能に支軸１０により軸支される一対のレバー１１，１１と、一対のレバー１１，１１の間に設けられ、足部５に当接されて足部５を押圧する足あて部１２と、から成る。
【００２３】
一対のレバー１１，１１の回動角度を制限するようにストッパー１３，１３が一対のレバー１１，１１の下端部付近の台１に設けられる。
足あて部１２，１２ａ，１２ｂ，１２ｃ，１２ｄは、図４に示されるように、足裏５ａを押圧するための所要形状を有する。
【００２４】
足あて部１２ｄは、足あて部用支軸１２ｅおよび当接部１２ｆとから成り、一対のレバー１１，１１に対して、足あて部１２ｄの取り付け角度を自在に固定し、足裏５ａの前側部分を押しながら足関節を支点として、足裏５ａをすね部５ｂ側へ強制的に曲げる。
【００２５】
また、図３に示される他の実施の形態のように、一対のレバー１１，１１の上部側に人手３ａが掴むことが出来る取っ手１４、第三者が掴むことができる取っ手１５、あるいは、図示されないベルト、ロープが設けられる場合が有る。取っ手１５は、第三者の人手により掴んで、一対のレバー１１，１１を回動させ、強制的に人体３をえび状にする。ここで、人体３は、頭部をも台１の上に寝かせる場合も有る。
【００２６】
次に、図５、図６、図７に示される他の実施の形態は、図１、図２に示される実施の形態と部分的に構成は共通するが、一対のレバー１１，１１は、軸受フレーム１０ａを介して台１に回動可能に支軸１０により軸支され、一対のレバー１１、１１の間に設けられる足あて部用支軸１６を備える。
【００２７】
足あて部１２ｇは、足あて部用支軸１６において回動した後、固定される。ここで、例えば、足あて部１２ｇの取り付け角度を、図８に示されるようにθ度回動して、自在に固定し、足裏５ａの前側部分を押しながら足関節を支点として、図９に示されるように足裏５ａをすね部５ｂ側へ強制的に曲げる場合も有る。
【００２８】
足あて部１２ｇの取り付け角度を、図８に示されるようにθ度回動して固定する構成は、図１０、図１１に示されるようにボルト２２０により固定する。ここで、人体３は、図８に示されるように頭部をも台１の上に寝かせる場合も有る。
【００２９】
次に、図１２、図１３、図１４、図１５から図１８に示される実施の形態は、図５に示される実施の形態と部分的に構成は共通するが、足あて部１２ｇは一対のレバー１１，１１に対して長手方向にスライドした後、固定される場合、あるいは、図１４に示される実施の形態のように長手方向に移動した後、固定される場合も有る。
【００３０】
図１２、図１３に示される実施の形態の場合には、一対のレバー１１，１１に設けられたスライド用溝１１ａ，１１ａ内をフランジ１１ｂ，１１ｂがスライドし、ボルト１１ｃ…により固定される。
【００３１】
また、図１４に示される実施の形態の場合には、一対のレバー１１，１１に、複数のボルト孔部１１ｅ…を設け、足あて部用支軸１６に固定されたフランジ１１ｄ，１１ｄを、一対のレバー１１，１１に対して長手方向に移動して、複数のボルト１１ｆ…を複数のボルト孔部１１ｅ…に嵌合して固定する。
【００３２】
図１５に示される実施の形態においては、足あて部用支軸１６ａに円柱状の足あて部１２ｈが固定され、足あて部用支軸１６ａの両端に筒状部１６ｂ，１６ｂが設けられ、ボルト１１ｇ，１１ｇにより、一対のレバー１１，１１に対して長手方向にスライドした後、固定される。
【００３３】
ここで、足あて部１２ｈの形状は、図１４に示される実施の形態のように、足あて部１２ｇ等が用いられる場合も有る。また、足あて部用支軸１６ａの両端付近には、環状のロープ１４ａ，１４ａが取っ手の代わりに設けられる。
【００３４】
また、図１６（ａ）（ｂ）（ｃ）に示される実施の形態に示されるように、足あて部１２ｉは、平板の両端を曲げた形状の場合も有り、足あて部用支軸１６ａにボルト２２０により回動して角度を調整されて固定される。
【００３５】
また、足あて部１２ｉの代わりに、図１７（ａ）（ｂ）に示されるように、足あて部１２ｋは足部５側が突出する形状の場合、あるいは、図１８に示されるように、足あて部１２ｍは足部５側が窪む形状の場合等、足部５をあてがう形状の場合も有る。
【００３６】
次に、図１９、図２０に示される実施の形態においては、一対の下部レバー１１ａ，１１ａは、台１に回動可能に支軸１０により軸支され、一対の上部レバー１１ｂ，１１ｂは、一対の下部レバー１１ａ，１１ａに対して、各々、長手方向にスライドした後、ボルト２２０により固定される。
【００３７】
図２１に示されるように足あて部用支軸１６ａは、一対の上部レバー１１ｂ，１１ｂの間に設けられ、足あて部１２ｎは、足あて部用支軸１６ａにボルト２２０により回動した後、固定され、足部５の、特に、すね部５ｂに当接されて足部５のすね部５ｂを押圧する。このすね部５ｂを押圧するために足あて部１２ｎは、所要形状である凹部１２ｐ，１２ｐを有する。さらに、この凹部１２ｐ，１２ｐにパット１２ｑ，１２ｑを付着する場合も有る。
【００３８】
次に、図２３に示される実施の形態は、図１９の実施の形態と構成は部分的に共通するが、足あて部１２の所要形状が異なり、また、一対の下部レバー１１ａ，１１ａは、台１に軸受フレーム１０ａを介して、回動可能に支軸１０により軸支される。
【００３９】
図２４（ａ）（ｂ）に示されるように、足あて部１２を、足あて部用支軸１６ａにボルト２２０により回動した後、固定し、すね部５ｂ側へ足裏５ａを強制的に曲げる場合も有る。
【００４０】
次に、図２５に示される実施の形態は、図２３の実施の形態と構成は部分的に共通するが、足あて部１２ｒは、一対の上部レバー１１ｂ，１１ｂの間に固定され、足部５に当接されて５足部を押圧する。
【００４１】
次に、図２６に示される実施の形態は、図２３の実施の形態と構成は部分的に共通するが、一対のレバー１１，１１は、台１に回動した後、固定して支軸１０により軸支される。
【００４２】
図示されない足あて部用支軸は、一対のレバー１１，１１の間に設けられ、足あて支持部１２ｓは、足あて部用支軸に回動した後、固定される。足あて部１２ｔは、人手３ａにより引張ることにより、足部５側にスライド軸１２ｕ，１２ｕによりスライドするように足あて支持部１２ｔに設けられ足５部に当接されて足部５を押圧する。
【００４３】
次に、図２７、図２８に示される実施の形態は、図２６の実施の形態と構成は部分的に共通するが、一対の下部レバー１１ａ，１１ａは、台１に回動した後、固定されて軸受フレーム１０ａを介して、ボルトである支軸１０により固定されて軸支され、一対の上部レバー１１ｂ，１１ｂは、一対の下部レバー１１ａ，１１ａに対して、各々、長手方向にスライドした後、ボルト２２０により固定される。足あて部１２ｖの所要形状が異なり、すね部５ｂ用に凹部１２ｗ，１２ｗを有する。
【００４４】
次に、図２９に示される実施の形態は、図２６の実施の形態と構成は部分的に共通するが、一対の下部レバー１１ａ，１１ａは、台１に回動した後、固定されて支軸１０により軸支され、一対の上部レバー１１ｂ，１１ｂは、一対の下部レバー１１ａ，１１ａに対して、各々、長手方向にスライドした後、ボルト２２０により固定される。
【００４５】
次に、図３０、図３１に示される実施の形態は、図１の実施の形態と構成は部分的に共通するが、一対のスタンド１７，１７は、台１に固定して立設され、一対のレバー１１，１１は、一対のスタンド１７，１７に回動可能に支軸１０により軸支される。足あて部１２は一対のレバー１１，１１の間に設けられ、足部５の足裏５ａ等に当接されて足部５の足裏５ａ等を押圧する。
【００４６】
次に、図３２、図３３に示される実施の形態は、図３０の実施の形態と構成は部分的に共通するが、足あて部用支持レバー１８０は、支軸１０に軸支され、一対のレバー１１，１１と共に回動する。
【００４７】
図１０、図１１に示されるように足あて部１２ｇは、足あて部用支持レバー１８０に足あて部用支軸１６により回動した後、固定されて軸支される。さらに、トルクリミッタ１９は、足あて部用支持レバー１８０と支軸１０との間に介在され、足あて部用支持レバー１８０により、所定以上の回転トルクが支軸１０に付加された場合に、足あて部用支持レバー１８０のみを空回りさせ、支軸１０へ所定以上の回転トルクが伝達されないようにする
【００４８】
次に、図３４に示される実施の形態は、図３０の実施の形態と構成は部分的に共通するが、一対のレバー１１，１１が、一対のスタンド１７，１７の長手方向にスライドした後、固定され、あるいは、長手方向に移動した後、固定される。例えば、一対のスタンド１７，１７に設けられたボルト孔部１７ａ…およびボルト孔部１７ａ…に嵌合するボルト１７ｃ…及びフランジ１７ｂにより、一対のレバー１１，１１が、長手方向に移動した後、固定される。
【００４９】
次に、図３５に示される実施の形態は、図３４の実施の形態と構成は部分的に共通するが、台１の一部が盛り上がって尻部押し上げ部１８として構成され、人体３の尻部３ｂを押し上げて、よりえび状の状態にする。
【００５０】
次に、図３６に示される実施の形態は、図３５の実施の形態と構成は部分的に共通するが、台１に設けられる尻部押し上げ部１８ａは、揺動カム１８ｄのカム軸１８ｅが、図示されない電動モータにより回転駆動され、尻押し板１８ｂを軸１８ｃを軸心として揺動させ、人体３の尻部３ｂを押し上げて、よりえび状の状態し、尻部３ｂを下げ、この動作を繰り返す。
【００５１】
次に、図３７、図３８に示される実施の形態は、図３４の実施の形態と構成は部分的に共通するが、一対のレバー１１，１１が、一対のスタンド１７，１７の長手方向にスライドした後、固定され、支軸１０を軸支するフランジ１７ｂ，１７ｂは、一対のスタンド１７，１７に設けられる溝１７ｅ，１７ｅ内をスライドした後、ボルト１７ｃ…により固定される。さらに、一対のレバー１１，１１の間に設けられる足あて部用支軸１６を備え、足あて部１２ｇは、足あて部用支軸１６により回動した後、ボルト２２０により固定されて軸支され、一対のレバー１１，１１と共に回動する。
【００５２】
次に、図３９、図４０に示される実施の形態は、図３７の実施の形態と構成は部分的に共通するが、回動力付加レバー２０は、一対のレバー１１，１１とは、所定角度を有して、支軸１０に軸支され、第三者の人手により回動されることにより、回動トルクを支軸１０に付加し、人体３を強制的にえび状にする。さらに、トルクリミッタ２１は、回動力付加レバー２０と支軸１０との間に介在され、回動力付加レバー２０により、所定以上の回転トルクが支軸１０に付加された場合に、回動力付加レバー２０のみを空回りさせ、支軸１０へ所定以上の回転トルクが伝達されないようにする。
【００５３】
次に、図４１、図４２に示される実施の形態は、図１９の実施の形態と構成は部分的に共通するが、足あて部１２の所要形状が異なり、一対の下部レバー１１ａ，１１ａは、一対のスタンド１７，１７に回動可能に支軸１０により軸支される。
次に、図４３に示される実施の形態は、図４１の実施の形態と構成は部分的に共通するが、一対の下部スタンド１７ｆ，１７ｆは、台１に固定して立設され、一対の上部スタンド１７ｇ，１７ｇは、一対の下部スタンド１７ｆ，１７ｆに対して上下スライドした後、ボルト１７ｃ…により固定される。一対の下部レバー１１ｂ、１１ｂは、一対の上部スタンド１７ｇ，１７ｇに回動可能に支軸１０により軸支される。
【００５４】
次に、図４４に示される実施の形態は、図４３の実施の形態と構成は部分的に共通するが、台１に尻部押し上げ部１８ｃが設けられ、人体３の尻部３ｂを押し上げて、よりえび状の状態にする。
【００５５】
次に、図４５、図４６に示される実施の形態は、図４４の実施の形態と構成は部分的に共通するが、台１に尻部押し上げ部１８ｄが設けられ、人体３の尻部３ｂを押し上げて、よりえび状の状態にする。
【００５６】
尻部押し上げ部１８ｄは、図示されない電動モータにより駆動される軸１８ｅが回転することにより、ローラ１８ｆが回転する。また、外側ローラ１８ｇはローラ１８ｆに対して、さらに、回動可能に設けられる。これらは、フレーム１８ｈに支持される。これにより、尻部３ｂを上下動させる。尻部押し上げ部１８ｄに図示されない電動モータにより駆動する微振動装置を付加する場合も有る。
【００５７】
次に、図４７、図４８に示される実施の形態は、図３７の実施の形態と構成は部分的に共通するが、一個のスタンド１７ｈは、台１に固定して立設され、一対のレバー１１，１１は、一個のスタンド１７ｈに回動可能に支軸１０により軸支され、かつ、一個のスタンド１７ｈの長手方向にスライドした後、固定され、あるいは、長手方向に移動した後、固定される。足あて部用支軸１６は、一対のレバー１１，１１の間に設けられ、足あて部１２ｇは、足あて部用支軸１６に回動した後、固定され、足部５の足裏５ａ等に当接されて足部５の足裏５ａ等を押圧する。
【００５８】
なお、上記いずれかの実施の形態において、一対のレバー１１，１１あるいは一対の下部レバー１１ａ，１１ａの回動角度を制限するようにストッパー１３，１３が一対のレバー１１，１１あるいは一対の下部レバー１１ａ，１１ａの下端部付近に適宜設けられる。
【００５９】
次に、図４９に示される実施の形態は、図２６の実施の形態と構成は部分的に共通するが、一対のスタンド１７，１７が、台１に固定して立設され、足あて支持部１２ｓが一対のスタンド１７，１７の間に固定される。
【００６０】
図５０（ａ）（ｂ）（ｃ）に示されるように、足あて部１２ｘ，１２ｙ，１２ｚは、種々の形状があり、スライド軸１２ｕ，１２ｕに設けられる。
【００６１】
また、図５１（ａ）に示されるように、足あて部１２０のθ１、θ２の角度を大きくして、足部５の足裏５ａを強制的に人体３側に曲げることにより、より効果を増大させる。同様に、図５２（ａ）（ｂ）に示される足あて部１２１の角度を任意の適度に大きい角度に調整可能な構成とすることにより、足部５の足裏５ａを強制的に人体３側に曲げることにより、より効果を増大させる。
次に、図５３に示される実施の形態は、図４９の実施の形態と構成は部分的に共通するが、足あて部用支軸１６は、一対のスタンド１７，１７の間に設けられ、足あて支持部１２２は、足あて部用支軸１６に回動した後、ボルト２２０，２２０により固定されて軸支される。
【００６２】
次に、図５４に示される実施の形態は、図４９の実施の形態と構成は部分的に共通するが、台１に尻部押し上げ部１８ｃが設けられる。
【００６３】
次に、図５５に示される実施の形態は、図４９の実施の形態と構成は部分的に共通するが、一個のスタンド１７０が、台１に固定して立設され、足あて部１２ｔは、人手３ａにより引張ることにより、足部５側にスライド可能に一個のスタンド１７０に設けられ、足部５に当接されて足部５を押圧する。
【００６４】
次に、図５６に示される実施の形態は、図２５の実施の形態と構成は部分的に共通するが、一対のスタンド１７１，１７１は、人手３ａにより引張ることにより、足部５側にスライド可能に台１に設けられ、台１に固定されるガイドレール１７２，１７２をレール受け部１７３，１７３がスライドし、レール受け部１７３，１７３に一対のスタンド１７１，１７１が固定される。
【００６５】
次に、図５７に示される実施の形態は、図５６の実施の形態と構成は部分的に共通するが、足あて部１２の形状が異なる。
【００６６】
次に、図５８に示される実施の形態は、図５６の実施の形態と構成は部分的に共通するが、台１に尻部押し上げ部１８ｃが設けられる。
【００６７】
次に、図５９に示される実施の形態は、図５６の実施の形態と構成は部分的に共通するが、一対の下部スタンド１７４，１７４が、人手３ａにより引張ることにより、足部５側にスライド可能に台１に設けられ、一対の上部スタンド１７５，１７５は、一対の下部スタンド１７４，１７４に対して上下にスライド可能に各々固定される。足あて部１２ｒは、一対の上部スタンド１７５，１７５の間に固定され、足部５に当接されて足部５を押圧する。
【００６８】
次に、図６０に示される実施の形態は、図５９の実施の形態と構成は部分的に共通するが、一対の下部レバー１７６，１７６は、人手３ａにより引張ることにより、足部５側にガイドレール１７２，１７２及びレール受け１７７，１７７によりスライド可能に台１に設けられ、かつ、軸１７８，１７８により回動可能に台に軸支される。
【００６９】
さらに、一対の上部レバー１７５，１７５は、一対の下部レバー１７６，１７６に対してスライドした後に、ボルト２２０，２２０により固定される。足あて部１２は、一対の上部レバー１７５，１７５の間に固定され、足部５に当接されて足部５を押圧する。
【００７０】
上記実施の形態において、足あて部５等は、足５ａ、すね部５ｂ、膝関節の裏側５ｃ、あるいは、膝関節の裏側付近の大腿部５ｄを押圧するための所要形状を適宜有する。
さらに、上記実施の形態において、一対のレバー１１，１１、あるいは、一対の上部レバー１１ｂ，１１ｂに対して、足あて部５等の取り付け角度を自在に固定し、足裏５ａの前側部分を押しながら足関節を支点として、足裏５ａをすね部５ｂ側へ強制的に曲げる場合も有る。また、上記実施の形態において、人体３は、適宜、頭部をも台１の上に寝かせる場合も有る。
【００７１】
さらに、上記実施の形態において、足あて部５等の両端付近、一対のレバー１１，１１の上部側、あるいは、一対の上部レバー１１ｂ，１１ｂに人手３ａが掴むことが出来る取っ手１４、ベルト、あるいは、ロープ１４ａが適宜設けられる。
【００７２】
さらに、上記実施の形態において、台１において、人体３の尻部３ｂを押し上げる尻部押し上げ部１８，１８ａ，１８ｃ，１８ｄを、てきぎ、備える。この尻部押し上げ部１８，１８ａ，１８ｃ，１８ｄは、電動モータにより駆動される場合も有り、また、微振動装置を付加する場合も有る。
【００７３】
さらに、上記実施の形態において、レバー１１，１１、上部レバー１１ｂ，１１ｂ、スタンド１７，１７、上部スタンド１７ｇ，１７ｇ等に、電動モータにより駆動力を直接的、あるいは、間接的に加える場合も有る。
【発明の効果】
【００７４】
本発明は、以上説明したように、腰痛等を予防、治癒するために、人体の足部である足裏等を押圧して、人体の膝関節と股関節とを曲げ、ひざが胸に近づいたえび状の状態にし、腰椎を、所謂、後弯の状態にして、かつ、椎間板の背中側の部分へ体重が加わることを軽減することにより、椎間板への圧迫を軽減し、腰痛等を治療、予防するという効果を奏する。
【００７５】
また、繰り返し足押し運動をすることにより、腰及び肩部等の柔軟運動を行うこととなり、血行を良くし、筋肉の疲労と、こりを改善し、健康運動となる。
【００７６】
また、同じく繰り返し足押し運動をすることにより、大腿部が腹部の圧迫を繰り返し、腹部の運動となり、便秘解消にも効果がある。
【図面の簡単な説明】
【００７７】
【図１】本発明の一実施の形態の正面図である。
【図２】本発明の図１の実施の形態の左側面図である。
【図３】本発明の他の実施の形態の正面図である。
【図４】本発明の図３の実施の形態の部分構成図である。
【図５】本発明のさらに他の実施の形態の部分断面を含む正面図である。
【図６】本発明の図５の実施の形態の左側面図である。
【図７】本発明の図５の実施の形態の部分構成図である。
【図８】本発明の図５の実施の形態の使用状態図である。
【図９】本発明の図５の実施の形態の使用状態図である。
【図１０】本発明の図５の実施の形態の部分構成図である。
【図１１】本発明の図５の実施の形態の部分構成図である。
【図１２】本発明のさらに他の実施の形態の部分構成図である。
【図１３】本発明の図１２の実施の形態の部分断面を含む正面図である。
【図１４】本発明のさらに他の実施の形態の部分断面を含む正面図である。
【図１５】本発明のさらに他の実施の形態の斜視図である。
【図１６】本発明のさらに他の実施の形態の斜視図及び部分構成図である。
【図１７】本発明のさらに他の実施の形態の部分構成図である。
【図１８】本発明のさらに他の実施の形態の斜視図である。
【図１９】本発明のさらに他の実施の形態の正面図である。
【図２０】本発明の図１９の実施の形態の左側面図である。
【図２１】本発明の図１９の実施の形態の部分構成図である。
【図２２】本発明の図１９の実施の形態の部分構成図である。
【図２３】本発明のさらに他の実施の形態の斜視図である。
【図２４】本発明の図２３の実施の形態の部分構成図である。
【図２５】本発明のさらに他の実施の形態の斜視図である。
【図２６】本発明のさらに他の実施の形態の斜視図である。
【図２７】本発明のさらに他の実施の形態の斜視図である。
【図２８】本発明の図２７の実施の形態の部分構成図である。
【図２９】本発明のさらに他の実施の形態の斜視図である。
【図３０】本発明のさらに他の実施の形態の正面図である。
【図３１】本発明の図３０の実施の形態の左側面図である。
【図３２】本発明のさらに他の実施の形態の部分断面を含む正面図である。
【図３３】本発明の図３１の実施の形態の左側面図である。
【図３４】本発明のさらに他の実施の形態の部分断面を含む正面図である。
【図３５】本発明のさらに他の実施の形態の部分断面を含む正面図である。
【図３６】本発明のさらに他の実施の形態の部分断面を含む正面図である。
【図３７】本発明のさらに他の実施の形態の部分断面を含む正面図である。
【図３８】本発明の図３７の実施の形態の左側面図である。
【図３９】本発明のさらに他の実施の形態の部分断面を含む正面図である。
【図４０】本発明の図３９の実施の形態の左側面図である。
【図４１】本発明のさらに他の実施の形態の正面図である。
【図４２】本発明の図４１の実施の形態の左側面図である。
【図４３】本発明のさらに他の実施の形態の正面図である。
【図４４】本発明のさらに他の実施の形態の正面図である。
【図４５】本発明のさらに他の実施の形態の正面図である。
【図４６】本発明の図４５の実施の形態の部分構成図である。
【図４７】本発明のさらに他の実施の形態の部分断面図である。
【図４８】本発明の図４７の実施の形態の部分断面を含む正面図である。
【図４９】本発明のさらに他の実施の形態の斜視図である。
【図５０】本発明の図４９の実施の形態の部分構成図である。
【図５１】本発明の図４９の実施の形態の部分構成図である。
【図５２】本発明の図４９の実施の形態の部分構成図である。
【図５３】本発明のさらに他の実施の形態の斜視図である。
【図５４】本発明のさらに他の実施の形態の斜視図である。
【図５５】本発明のさらに他の実施の形態の斜視図である。
【図５６】本発明のさらに他の実施の形態の斜視図である。
【図５７】本発明のさらに他の実施の形態の斜視図である。
【図５８】本発明のさらに他の実施の形態の斜視図である。
【図５９】本発明のさらに他の実施の形態の斜視図である。
【図６０】本発明のさらに他の実施の形態の斜視図である。
【符号の説明】
【００７８】
１  台
２  床
３  人体
３ｂ  尻部
４  押圧手段
５  足部
５ａ  足裏
５ｂ  すね部
５ｃ  膝関節の裏側
５ｄ  大腿部
６  膝関節
７  股関節
８  ひざ
９  胸
１０  支軸
１０ａ  軸受フレーム
１１  一対のレバー
１１ａ，１７  ６  一対の下部レバー
１１ｂ，１７  ５  一対の上部レバー
１２  足あて部
１２ｕ  スライド軸
１３  ストッパー
１４ａ  ロープ
１４，１５  取っ手
１６，１６ａ  足あて部用支軸
１７，１７１  一対のスタンド
１７ｆ，１７４  一対の下部スタンド
１７ｇ，１７５  上部スタンド
１７２  ガイドレール
１７ｈ  一個のスタンド
１８，１８ａ，１８ｃ，１８ｄ  尻部押し上げ部
１９、２１  トルクリミッタ
２０  回動力付加レバー
１８０  足あて部支持用レバー
【図１】
0004256016.tif 000002
【図２】
0004256016.tif 000003
【図３】
0004256016.tif 000004
【図４】
0004256016.tif 000005
【図５】
0004256016.tif 000006
【図６】
0004256016.tif 000007
【図７】
0004256016.tif 000008
【図８】
0004256016.tif 000009
【図９】
0004256016.tif 000010
【図１０】
0004256016.tif 000011
【図１１】
0004256016.tif 000012
【図１２】
0004256016.tif 000013
【図１３】
0004256016.tif 000014
【図１４】
0004256016.tif 000015
【図１５】
0004256016.tif 000016
【図１６】
0004256016.tif 000017
【図１７】
0004256016.tif 000018
【図１８】
0004256016.tif 000019
【図１９】
0004256016.tif 000020
【図２０】
0004256016.tif 000021
【図２１】
0004256016.tif 000022
【図２２】
0004256016.tif 000023
【図２３】
0004256016.tif 000024
【図２４】
0004256016.tif 000025
【図２５】
0004256016.tif 000026
【図２６】
0004256016.tif 000027
【図２７】
0004256016.tif 000028
【図２８】
0004256016.tif 000029
【図２９】
0004256016.tif 000030
【図３０】
0004256016.tif 000031
【図３１】
0004256016.tif 000032
【図３２】
0004256016.tif 000033
【図３３】
0004256016.tif 000034
【図３４】
0004256016.tif 000035
【図３５】
0004256016.tif 000036
【図３６】
0004256016.tif 000037
【図３７】
0004256016.tif 000038
【図３８】
0004256016.tif 000039
【図３９】
0004256016.tif 000040
【図４０】
0004256016.tif 000041
【図４１】
0004256016.tif 000042
【図４２】
0004256016.tif 000043
【図４３】
0004256016.tif 000044
【図４４】
0004256016.tif 000045
【図４５】
0004256016.tif 000046
【図４６】
0004256016.tif 000047
【図４７】
0004256016.tif 000048
【図４８】
0004256016.tif 000049
【図４９】
0004256016.tif 000050
【図５０】
0004256016.tif 000051
【図５１】
0004256016.tif 000052
【図５２】
0004256016.tif 000053
【図５３】
0004256016.tif 000054
【図５４】
0004256016.tif 000055
【図５５】
0004256016.tif 000056
【図５６】
0004256016.tif 000057
【図５７】
0004256016.tif 000058
【図５８】
0004256016.tif 000059
【図５９】
0004256016.tif 000060
【図６０】
0004256016.tif 000061